(57)【要約】【課題】センサ取付具及びセンサにおいて、パイプの曲がり部であっても取付けが簡単であると共に、微振動等の影響が少なく正確な温度検出を行うこと。【解決手段】パイプＰの曲がり部Ｃに温度センサＳを取り付けるセンサ取付具１０であって、長方形状の上面板部１１と該上面板部の両長辺に一辺が配された表面板部１２及び裏面板部１３とにより略断面コ字状に一体に形成され、表面板部及び裏面板部は、上面板部と直交する方向に形成された分離スリット１４でそれぞれ３つの帯状部に分岐され、表面板部の中央の帯状部は、外側に配されて温度センサを嵌め込んで挟持する断面円弧状のセンサ保持部１５とされ、裏面板部の中央の帯状部は、内側に配されて曲がり部の中央を嵌め込んで挟持する断面円弧状の曲がり部保持部１６とされ、センサ保持部及び曲がり部保持部の両側の帯状部は、曲がり部の両側を挟持する平板状の両側保持部１７とされている。【選択図】　　　図１
2004061067.tif 000002
【特許請求の範囲】
【請求項１】
熱交換器の熱交換媒体を流通させるパイプの曲がり部に棒状の温度センサを取り付けるセンサ取付具であって、
長方形状の上面板部と該上面板部の両長辺に一辺が配された表面板部及び裏面板部とにより略断面コ字状に一体に形成され、
前記表面板部及び前記裏面板部は、前記上面板部と直交する方向に形成された分離スリットでそれぞれ３つの帯状部に分岐され、
前記表面板部の中央の帯状部は、外側に配されて前記温度センサを嵌め込んで挟持する断面円弧状のセンサ保持部とされ、
前記裏面板部の中央の帯状部は、内側に配されて前記曲がり部の中央を嵌め込んで挟持する断面円弧状の曲がり部保持部とされ、
前記センサ保持部及び前記曲がり部保持部の両側の帯状部は、前記曲がり部の両側を挟持する平板状の両側保持部とされていることを特徴とするセンサ取付具。
【請求項２】
請求項１に記載のセンサ取付具において、
前記表面板部の両側保持部に、前記センサ保持部の両側から前記分離スリットと直交する方向に延びる位置決めスリットが形成されていることを特徴とするセンサ取付具。
【請求項３】
請求項１又は２に記載のセンサ取付具において、
前記曲がり部保持部は、その幅が先端に向けて漸次狭くなるように設定されていることを特徴とするセンサ取付具。
【請求項４】
請求項１から３のいずれかに記載のセンサ取付具と、
該センサ取付具の前記センサ保持部に実装された温度センサとを備えたことを特徴とするセンサ。
【発明の詳細な説明】
【０００１】
【発明の属する技術分野】
本発明は、エアーコンディショナー等の熱交換器の熱交換媒体を流通させるパイプに温度センサを取り付けるのに有効なセンサ取付具及びセンサに関する。
【０００２】
【従来の技術】
一般に、エアーコンディショナー等の熱交換器の熱交換媒体を流通させるパイプには各種の温度センサが取り付けられ、この温度センサからの信号によりエアーコンディショナーの運転が制御されるようになっている。
この場合、温度センサは、熱交換器のパイプの直線部又は曲がり部に、パイプをろう付けした中に間接的に取り付けられるようになっている。
【０００３】
しかしながら、ろう付けにより直接的に取り付ける方法は、ろう付け作業が必要となるために、取付けに手間がかかってしまう。
一方、上記のような問題を解決するため、取付具を用いて温度センサを熱交換器のパイプに取り付ける方法が提案されている。その一例が特開平１０−９７２９号公報に開示されている。
上記従来の取付具１は、図７に示すように、弾性を有する薄金属板により形成され、温度センサＳを収納する筒部２と、パイプＰを嵌め込んで固定する断面コ字状の挟持部３とで構成されている。
【０００４】
【発明が解決しようとする課題】
しかしながら、上記従来のセンサ取付具には、次のような課題が残されている。すなわち、取付具の挟持部にパイプを嵌め込んでも、エアコンの微振動や薄金属板の経年変化による弾性特性変化などにより位置ずれを生じ、正確な温度検出が困難になるおそれがあった。特に、パイプのうちＵ字状等に曲がった曲がり部に従来のセンサ取付具を取り付ける場合、位置ずれが生じやすかった。
【０００５】
本発明は、上記のような従来の問題に鑑みなされたものであって、パイプの曲がり部であっても取付けが簡単であると共に、微振動等の影響が少なく正確な温度検出を行うことができるセンサ取付具及びセンサを提供することを課題とするものである。
【０００６】
【課題を解決するための手段】
本発明は、前記課題を解決するために以下の構成を採用した。すなわち、本発明のセンサ取付具は、熱交換器の熱交換媒体を流通させるパイプの曲がり部に棒状の温度センサを取り付けるセンサ取付具であって、長方形状の上面板部と該上面板部の両長辺に一辺が配された表面板部及び裏面板部とにより略断面コ字状に一体に形成され、前記表面板部及び前記裏面板部は、前記上面板部と直交する方向に形成された分離スリットでそれぞれ３つの帯状部に分岐され、前記表面板部の中央の帯状部は、外側に配されて前記温度センサを嵌め込んで挟持する断面円弧状のセンサ保持部とされ、前記裏面板部の中央の帯状部は、内側に配されて前記曲がり部の中央を嵌め込んで挟持する断面円弧状の曲がり部保持部とされ、前記センサ保持部及び前記曲がり部保持部の両側の帯状部は、前記曲がり部の両側を挟持する平板状の両側保持部とされていることを特徴とする。
【０００７】
このセンサ取付具では、表面板部の中央の帯状部が、外側に配されて温度センサを挟持する断面円弧状のセンサ保持部とされ、裏面板部の中央の帯状部は、内側に配されて曲がり部の中央を挟持する断面円弧状の曲がり部保持部とされ、センサ保持部及び曲がり部保持部の両側の帯状部は、曲がり部の両側を挟持する平板状の両側保持部とされているので、外側で挟持された温度センサと内側で挟持されたパイプとを互いに対向かつ接触状態で保持することができると共に、パイプを曲がり部保持部と両側保持部との３個所で支持して、確実に装着を行うことができる。特に曲がり部保持部は、抜け止め効果を有する。したがって、本発明では、パイプの曲がり部であっても簡単にかつ確実に装着作業ができると共に、従来に比べて正確な温度検出が可能であり、微振動や板材の経年変化等による位置ずれを防ぐことができる。
【０００８】
また、本発明のセンサ取付具は、前記表面板部の両側保持部に、前記センサ保持部の両側から前記分離スリットと直交する方向に延びる位置決めスリットが形成されていることが好ましい。すなわち、このセンサ取付具では、表面板部の両側保持部に、センサ保持部の両側から分離スリットと直交する方向に延びる位置決めスリットが形成されているので、温度センサを保持した際に、温度センサが位置決めスリットに嵌って位置決めされ、微振動などによる位置ずれを防止することができる。
【０００９】
また、本発明のセンサ取付具は、前記曲がり部保持部の幅が先端に向けて漸次狭くなるように設定されていることが好ましい。すなわち、このセンサ取付具では、曲がり部保持部の幅が先端に向けて漸次狭くなるように設定されているので、曲がり部保持部と曲がり部との間隙が少なくなり、より位置ずれを防ぐことができる。なお、曲がり部の曲率が大きいほど曲がり部保持部の幅が狭くなるように設定することが好ましい。
【００１０】
本発明のセンサは、上記本発明のセンサ取付具と、該センサ取付具の前記センサ保持部に実装された温度センサとを備えたことを特徴とする。
【００１１】
【発明の実施の形態】
以下、本発明に係るセンサ取付具及びセンサの一実施形態を、図１から図６を参照しながら説明する。
【００１２】
本実施形態のセンサ取付具１０は、図１から図５に示すように、エアーコンディショナー等の熱交換器の熱交換媒体を流通させるパイプＰの曲がり部Ｃに棒状の温度センサＳを取り付ける場合に適用したものである。このセンサ取付具１０は、長方形状の上面板部１１と該上面板部１１の両長辺に一辺が配された表面板部１２及び裏面板部１３とにより略断面コ字状に一体に形成されている。
【００１３】
表面板部１２及び裏面板部１３は、上面板部１１と直交する方向に形成された分離スリット１４でそれぞれ３つの帯状部に分岐されている。表面板部１２の中央の帯状部は、外側に配されて温度センサＳを嵌め込んで挟持する断面円弧状のセンサ保持部１５とされている。また、裏面板部１３の中央の帯状部は、内側に配されて曲がり部Ｃの中央を嵌め込んで挟持する断面円弧状の曲がり部保持部１６とされている。さらに、センサ保持部１５及び曲がり部保持部１６の両側の帯状部は、曲がり部Ｃの両側を挟持する平板状の両側保持部１７とされている。
【００１４】
また、表面板部１２の両側保持部１７には、センサ保持部１５の両側から分離スリット１４と直交する方向に延びる位置決めスリット１８が形成されている。また、上面板部１１の中央には、凸状に加工されたアーチ状帯部２１がある。このアーチ状帯部２１には、パイプＰの曲がり部Ｃ先端が嵌って位置決めを行うことができる。さらに、各両側保持部１７には、嵌め込まれるパイプＰに沿って断面アーチ状に凸部とされた曲面部１７ａが形成されている。これらの曲面部１７ａも、パイプＰが嵌め込まれた際にパイプＰを位置決めするものである。
なお、センサ保持部１５及び曲がり部保持部１６のそれぞれの先端には、外側に向けて折り曲げた先端曲げ部１９が形成されている。これらの先端曲げ部１９は、温度センサＳ及びパイプＰの曲がり部Ｃを嵌め込み易くするために設けたものである。
【００１５】
このセンサ取付具１０は、アルミニウム、銅、真鍮、ステンレス等の金属の薄板を素材とし、この素材に曲げ加工等を施すことにより各部が一体に形成されている。
具体的には長方形状の板材を用い、該板材の対向する２辺から切り込みを入れて２対の分離スリット１４を形成すると共に、両辺それぞれに３つの帯状部を形成する。また、表面板部１２に供される部分で、センサ保持部となる帯状部の両側から分離スリット１４と直交する方向に一定幅（温度センサＳの直径より狭い幅）で切り込みを入れて位置決めスリット１８を形成する。また、板材の中央部を凸状に加工してアーチ状帯部２１とする。さらに、各両側保持部１７となる板材の一部を、嵌め込まれるパイプＰに沿って凸部に加工して曲面部１７ａとする。
【００１６】
また、上記板材を中央部で折り曲げて断面コ字状にし、長方形状の上面板部１１と表面板部１２及び裏面板部１３とを形成する。さらに、表面板部１２の中央の帯状部を外側に折り曲げると共に断面円弧状に折り曲げ加工してセンサ保持部１５とする。また、裏面板部１３の中央の帯状部を内側に折り曲げると共に断面円弧状の折り曲げ加工して曲がり部保持部１６とする。また、センサ保持部１５及び曲がり部保持部１６の先端を外側に向けて折り曲げ、それぞれ先端曲げ部１９を形成する。
【００１７】
上記のように形成したセンサ取付具１０に、温度センサＳがパイプＰと接触するように装着されて本発明のセンサが構成され、温度センサＳからの信号により熱交換器の運転が制御されるようになっている。
この温度センサＳは、アルミニウム、銅、真鍮、ステンレス等の金属からなる略円筒状をなす検出部である保護キャップ１５と、保護キャップ１５の内側に嵌合される丸棒状のセンサ本体１６と、センサ本体１６に接続されるリード線１７とから構成されている。
【００１８】
次に、上記のようにセンサ取付具１０を、パイプＰのうちＵ字状に曲がった曲がり部に取り付ける方法について、以下に説明する。
【００１９】
まず、センサ取付具１０のセンサ保持部１５に温度センサＳを取り付ける。この際、センサ保持部１５内に温度センサＳを嵌め入れると位置決めスリット１８に保護キャップ１５の側面の一部が嵌って位置決めされる。
次に、温度センサＳを取り付けたセンサ取付具１０をパイプＰの曲がり部Ｃに取り付ける。すなわち、センサ取付具１０を下方開口側から曲がり部Ｃ上に被せると共に曲がり部保持部１６内及び両側保持部１７内に曲がり部Ｃを嵌め込んで挟持状態で固定する。
【００２０】
このように本実施形態では、表面板部１２の中央の帯状部が、外側に配されて温度センサＳを挟持する断面円弧状のセンサ保持部１５とされ、裏面板部１３の中央の帯状部は、内側に配されて曲がり部Ｃの中央を挟持する断面円弧状の曲がり部保持部１６とされ、センサ保持部１５及び曲がり部保持部１６の両側の帯状部は、曲がり部Ｃの両側を挟持する平板状の両側保持部１７とされているので、外側で挟持された温度センサＳと内側で挟持されたパイプＰとを互いに対向かつ接触状態で保持することができると共に、パイプＰを曲がり部保持部１６と両側保持部１７との３個所で支持して、確実に装着を行うことができる。特に曲がり部保持部１６は、抜け止め効果を有する。したがって、このセンサ取付具１０では、パイプＰの曲がり部Ｃであっても簡単にかつ確実に装着作業ができると共に、従来に比べて正確な温度検出が可能であり、微振動や板材の経年変化等による位置ずれを防ぐことができる。
【００２１】
また、表面板部１２の両側保持部１７に、センサ保持部１５の両側から分離スリット１４と直交する方向に延びる位置決めスリット１８が形成されているので、温度センサＳを保持した際に、温度センサＳが位置決めスリット１８に嵌って位置決めされ、微振動などによる位置ずれを防止することができる。
【００２２】
なお、本発明の技術範囲は上記実施の形態に限定されるものではなく、本発明の趣旨を逸脱しない範囲において種々の変更を加えることが可能である。
例えば、上記実施形態では、曲がり部保持部が一定の幅の帯状であるのに対し、他の例として、パイプＰの径や曲率等の外形状に併せて、幅を変化させた曲がり部保持部としても構わない。特に、図６に示すセンサ取付具２０のように、パイプＰの曲がり部Ｃの曲率に応じて曲がり部保持部２６の幅が先端に向けて漸次狭くなるように変化させることが好ましい。この場合、曲がり部保持部２６と曲がり部Ｃとの間隙が少なくなり、より位置ずれを防ぐことができる。
【００２３】
【発明の効果】
本発明によれば、以下の効果を奏する。
すなわち、本発明のセンサ取付具及びセンサによれば、表面板部の中央の帯状部が、外側に配されて温度センサを挟持する断面円弧状のセンサ保持部とされ、裏面板部の中央の帯状部は、内側に配されて曲がり部の中央を挟持する断面円弧状の曲がり部保持部とされ、センサ保持部及び曲がり部保持部の両側の帯状部は、曲がり部の両側を挟持する平板状の両側保持部とされているので、温度センサとパイプとを互いに対向かつ接触状態で保持して、パイプを曲がり部保持部と両側保持部との３個所で支持して、確実に装着を行うことができると共に、微振動や板材の経年変化等による位置ずれを防ぐことができる。したがって、本発明は、Ｕ字状パイプへの高い取り付け信頼性を有して正確な温度検出を行うことができる。
【図面の簡単な説明】
【図１】本発明に係るセンサ取付具及びセンサの一実施形態を示す表面側斜視図である。
【図２】本発明に係るセンサ取付具及びセンサの一実施形態を示す裏面側斜視図である。
【図３】本発明に係るセンサ取付具及びセンサの一実施形態を示す正面図である。
【図４】本発明に係るセンサ取付具及びセンサの一実施形態を示す側面図である。
【図５】本発明に係るセンサ取付具及びセンサの一実施形態を示す背面図である。
【図６】本発明に係るセンサ取付具及びセンサの一実施形態における他の例を示す背面図である。
【図７】本発明に係るセンサ取付具及びセンサの従来例を示す斜視図である。
【符号の説明】
１０、２０　センサ取付具
１１　上面板部
１２　表面板部
１３　裏面板部
１４　分離スリット
１５　センサ保持部
１６、２６　曲がり部保持部
１７　両側保持部
１８　位置決めスリット
Ｃ　曲がり部
Ｐ　パイプ
Ｓ　温度センサ
【図１】
2004061067.tif 000003
【図２】
2004061067.tif 000004
【図３】
2004061067.tif 000005
【図４】
2004061067.tif 000006
【図５】
2004061067.tif 000007
【図６】
2004061067.tif 000008
【図７】
2004061067.tif 000009